(57)【要約】【課題】ＩＰＤＬを採用する無線通信システムにおいて、通信相手局によるすべての送信が瞬断される場合でも、受信特性の劣化を防止し、各種制御の誤動作を防止すること。【解決手段】逆拡散部１０６２−１〜１０６２−ｎは、復調部１０６への入力信号をそれぞれのパスの信号ごとに逆拡散する。また、逆拡散部１０６２−１〜１０６２−ｎは、ｎ個のパスのうちＩＰＤＬを実施する自セルの基地局装置からのパスについて、ＩＰＤＬ区間における逆拡散出力を０にする。同期検波部１０６４−１〜１０６４−ｎは、パスごとの逆拡散出力を用いて同期検波を行う。また、同期検波部１０６４−１〜１０６４−ｎは、対応する逆拡散部１０６２−１〜１０６２−ｎから逆拡散出力として０が出力された場合は、同期検波信号としても０を出力する。【選択図】      図２
2005012276.tif 000002
【特許請求の範囲】
【請求項１】
通信相手局がすべての送信を瞬断するＩＰＤＬタイミングを検出する検出手段と、
前記ＩＰＤＬタイミングにおける通信相手局からのパスに対応する信号を排除して受信動作を制御する受信動作制御手段と、
を有することを特徴とする無線受信装置。
【請求項２】
前記受信動作制御手段は、
前記ＩＰＤＬタイミングにおける通信相手局からのパスに対応する信号の逆拡散出力として０を出力する逆拡散部と、
０を含む逆拡散出力から同期検波を行う同期検波部と、
同期検波結果をＲＡＫＥ合成するＲＡＫＥ合成部と、
を有することを特徴とする請求項１記載の無線受信装置。
【請求項３】
前記受信動作制御手段は、
受信信号を復調する復調部と、
復調結果を用いて無線制御を行う無線制御部と、
復調結果に基づいて通信相手局における送信制御情報を生成する送信制御情報生成部と、を有し、
前記無線制御部は、
ＩＰＤＬタイミングにおいては、ＩＰＤＬタイミングより以前の復調結果を用いて無線制御を行い、
前記送信制御情報生成部は、
ＩＰＤＬタイミングにおいては、ＩＰＤＬタイミングより以前の復調結果に基づいて送信制御情報を生成することを特徴とする請求項１記載の無線受信装置。
【請求項４】
通信相手局がすべての送信を瞬断するＩＰＤＬタイミングを検出する検出手段と、
前記ＩＰＤＬタイミングにおいて通信相手局の送信タイミングが発生しないように制御する送信タイミング制御手段と、
を有することを特徴とする無線受信装置。
【請求項５】
前記送信タイミング制御手段は、
通信相手局からの受信確認を要求するプリアンブルをデータの送信に先立って送信するプリアンブル送信部と、
前記プリアンブルに対してデータの送信を許可する旨の受信確認が通信相手局から受信された場合にデータを送信するデータ送信部と、を有し、
前記プリアンブル送信部は、
前記ＩＰＤＬタイミングにおいてプリアンブルの送信を停止することを特徴とする請求項４記載の無線受信装置。
【請求項６】
前記検出手段は、
常に一定のタイミングを発生させて時間を計時するタイミング発生部と、
あらかじめ決定されたＩＰＤＬタイミングと前記タイミング発生部によって計時された時間を比較することにより、ＩＰＤＬタイミングが接近したことを検出するＩＰＤＬ区間判定部と、
を有することを特徴とする請求項１または請求項４記載の無線受信装置。
【請求項７】
通信相手局がすべての送信を瞬断するＩＰＤＬタイミングを検出するステップと、
前記ＩＰＤＬタイミングにおける通信相手局からのパスに対応する信号を排除して受信動作を制御するステップと、
を有することを特徴とする無線受信方法。
【請求項８】
通信相手局がすべての送信を瞬断するＩＰＤＬタイミングを検出するステップと、
前記ＩＰＤＬタイミングにおいて通信相手局の送信タイミングが発生しないように制御するステップと、
を有することを特徴とする無線受信方法。
【発明の詳細な説明】
【０００１】
【発明の属する技術分野】
本発明は、無線受信装置および無線受信方法に関し、特に、下り瞬断（ＩＰＤＬ：Ｉｄｌｅ  Ｐｅｒｉｏｄ  ＤｏｗｎＬｉｎｋ）を用いた位置検出が行われる無線通信システムにおける無線受信装置および無線受信方法に関する。
【０００２】
【従来の技術】
近年、移動体通信においては、音声やデータの通信機能のみならず、移動局装置の位置を測定し、セキュリティやナビゲーションと組み合わせるサービス機能が求められている。ＣＤＭＡ（Ｃｏｄｅ  Ｄｉｖｉｓｉｏｎ  Ｍｕｌｔｉｐｌｅ  Ａｃｃｅｓｓ：符号分割多元接続）方式を用いる無線通信システムにおいては、例えばＧＰＳ（Ｇｌｏｂａｌ  Ｐｏｓｉｔｉｏｎｉｎｇ  Ｓｙｓｔｅｍ：全地球測位システム）衛星を用いた位置検出などの様々な方法が提案されている。また、複数の位置検出方法を組み合わせた技術が知られている。
【０００３】
ＣＤＭＡ方式においては、拡散符号を用いた相関検出を行うことにより、移動局装置は、基地局装置からの距離を精度良く測定することが可能である。そして、移動局装置は、基地局装置からの距離を測定し、自装置の位置を特定することができる。このとき、移動局装置が位置を特定するためには、少なくとも３つの基地局装置からの距離を測定する必要がある。
【０００４】
ところで、一般に、ＣＤＭＡ方式を用いる無線通信システムにおいては、各基地局装置が使用する拡散符号が互いに異なっている。したがって、移動局装置が基地局装置と通信を行う場合、この基地局装置が用いる拡散符号は、周辺の基地局装置が用いる拡散符号とは異なっており、周辺の基地局装置からの送信信号は干渉信号となる。結果として、特に、移動局装置が基地局装置の直下に位置する場合は、この基地局装置（以下、「自セルの基地局装置」という）からの送信信号が干渉信号となって、周辺の基地局装置と通信を行うことが困難となり、周辺の基地局装置からの距離を測定することが困難であった。すなわち、移動局装置は、自セルの基地局装置を含めた３つの基地局装置からの距離を測定することができず、位置を特定することができないという問題がある。
【０００５】
この問題を解決する方法として、例えばＷ−ＣＤＭＡの規格書である非特許文献１の８章および非特許文献２の９章に記載されたＩＰＤＬが知られている。ＩＰＤＬは、基地局装置のすべての送信を非常に短い時間だけ瞬断するものである。したがって、自セルの基地局装置のＩＰＤＬ区間においては、自セルの基地局装置が周辺の基地局装置に対して与える干渉が０となるため、移動局装置は、ＩＰＤＬ区間を利用して周辺の基地局装置からの距離を測定することができる。
【０００６】
以下、ＩＰＤＬの動作について、図５を参照しながら説明する。
【０００７】
まず、基地局装置は、ネットワークからＩＰＤＬを行うタイミングなどを含むＩＰＤＬパラメータを受け取り、報知情報などで移動局装置へ送信する。移動局装置は、この報知情報を受信し、ＩＰＤＬが発生するタイミングを記憶しておく。基地局装置は、上記のタイミングでＩＰＤＬ動作を行う、すなわち、全送信を瞬断する。移動局装置は、記憶したＩＰＤＬのタイミングにおいて、周辺の基地局装置からの距離を測定し、自装置の位置を検出する。
【０００８】
なお、ＩＰＤＬ区間は、基地局装置ごとに異なっているとともに、各基地局装置のＩＰＤＬ区間が重ならないようにネットワークによってコントロールされている。移動局装置は、一般に、自セルの基地局装置のＩＰＤＬ区間を用いて、周辺の基地局装置からの距離を測定するが、自セルの基地局装置以外のＩＰＤＬ区間を利用することも可能である。
【０００９】
【非特許文献１】
３ＧＰＰ  ＴＳ  ２５．２１４  Ｖ４．５．０  （３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｐｈｙｓｉｃａｌ  ｌａｙｅｒ  ｐｒｏｃｅｄｕｒｅｓ  （ＦＤＤ）  （Ｒｅｌｅａｓｅ  ４））
【非特許文献２】
３ＧＰＰ  ＴＳ  ２５．３０５  Ｖ４．３．０  （３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｓｔａｇｅ  ２  ｆｕｎｃｔｉｏｎａｌ  ｓｐｅｃｉｆｉｃａｔｉｏｎ  ｏｆ  Ｕｓｅｒ  Ｅｑｕｉｐｍｅｎｔ  （ＵＥ）  ｐｏｓｉｔｉｏｎｉｎｇ  ｉｎ  ＵＴＲＡＮ  （Ｒｅｌｅａｓｅ  ４））
【００１０】
【発明が解決しようとする課題】
しかしながら、ＩＰＤＬ区間では、基地局装置からのすべての送信が途切れるため、たとえ一連の送信データが誤り訂正符号化されていたとしても、ＩＰＤＬ区間の瞬断によって正確に復号される確率が低下し、移動局装置における受信特性の劣化を招くという問題がある。また、受信特性の劣化以外にも、移動局装置における各種制御の誤動作が生じるという問題がある。
【００１１】
具体的には、例えばＣＤＭＡ方式を用いる移動局装置は、受信信号に含まれる複数のパスごとの信号を分離して逆拡散処理および検波処理を行うことができる。しかし、自セルの基地局装置のＩＰＤＬ区間では、自セルの基地局装置からのパスの信号は、他セルからの干渉信号や熱雑音が重畳された無効な信号として逆拡散されることになる。そして、この逆拡散結果が用いられて、無効な信号が検波され、雑音としてＲＡＫＥ合成される。つまり、ＲＡＫＥ合成結果に雑音が含まれることになり、正しく復号される確率を下げる原因となる。また、無効な信号の検波結果に基づいて、ＡＦＣ（Ａｕｔｏ  Ｆｒｅｑｕｅｎｃｙ  Ｃｏｎｔｒｏｌ：自動周波数制御）やＡＧＣ（Ａｕｔｏ  Ｇａｉｎ  Ｃｏｎｔｒｏｌ：自動利得制御）などのＲＦ（Ｒａｄｉｏ  Ｆｒｅｑｕｅｎｃｙ：無線周波数）制御が行われたり、自セルの基地局装置に対する送信電力制御コマンドの生成が行われたりするため、誤動作を引き起こしてしまうことがある。
【００１２】
さらに、移動局装置における誤動作について、Ｗ−ＣＤＭＡにおけるランダムアクセスを例に挙げて、図６を参照しながら説明する。
【００１３】
Ｗ−ＣＤＭＡにおけるランダムアクセス時には、上り回線のＲＡＣＨ（Ｒａｎｄｏｍ  Ａｃｃｅｓｓ  ＣＨａｎｎｅｌ）と下り回線のＡＩＣＨ（Ａｃｑｕｉｓｉｔｉｏｎ  Ｉｎｄｉｃａｔｉｏｎ  ＣＨａｎｎｅｌ）とが用いられる。
【００１４】
まず、基地局装置は、送信電力が一定であるＣＰＩＣＨ（Ｃｏｍｍｏｎ  ＰＩｌｏｔ  ＣＨａｎｎｅｌ：共通パイロットチャネル）に対するＡＩＣＨの送信電力の電力比を、報知情報としてあらかじめ移動局装置に通知している。移動局装置は、送信すべきＲＡＣＨデータがある場合、ＲＡＣＨプリアンブルと呼ばれる信号を基地局装置へ送信する。ＲＡＣＨプリアンブルは、移動局装置の識別子のみが含まれる短区間の信号である。移動局装置は、始めに、所定の低い送信電力でＲＡＣＨプリアンブルを送信し、ＲＡＣＨプリアンブルに対するＡｃｋおよびＮａｃｋのいずれも基地局装置から受信できない場合は、ＲＡＣＨプリアンブルが基地局装置に到達していないと判断し、送信電力を所定量だけ増加させて再度ＲＡＣＨプリアンブルを送信する（図６では、３回目でＲＡＣＨプリアンブルが基地局装置に到達している）。
【００１５】
基地局装置は、ＲＡＣＨプリアンブルを受信すると、このＲＡＣＨプリアンブルを送信した移動局装置に対して、ＡＩＣＨを用いてＡｃｋ／Ｎａｃｋを送信する。具体的には、ＲＡＣＨプリアンブルを送信した移動局装置にＲＡＣＨデータの送信を許可する場合はＡｃｋを送信し（図６（ａ）参照）、ＲＡＣＨデータの送信を拒否する場合はＮａｃｋを送信する（図６（ｂ）参照）。
【００１６】
そして、移動局装置は、ＡＩＣＨデータを受信したか否かを判定し、Ａｃｋを受信した場合は、ＲＡＣＨデータを送信し（図６（ａ）参照）、Ｎａｃｋを受信した場合は、ＲＡＣＨプリアンブルの送信電力を初期状態にリセットした上で、再度ＲＡＣＨプリアンブルの送信を開始する（図６（ｂ）参照）。なお、移動局装置において、ＲＡＣＨプリアンブルの送信タイミングとＡＩＣＨデータであるＡｃｋ／Ｎａｃｋの受信タイミングとは特定の関係にあり、移動局装置は、どのＲＡＣＨプリアンブルに対するＡｃｋ／Ｎａｃｋであるか判別することができる。
【００１７】
ここで、ＩＰＤＬ区間では、ＡＩＣＨを含むすべてのチャネルの送信が瞬断されるため、移動局装置が送信したＲＡＣＨプリアンブルに対するＡｃｋ／Ｎａｃｋの送信タイミングがＩＰＤＬ区間と重なった場合、このＡｃｋ／Ｎａｃｋは送信されず、移動局装置におけるＡＩＣＨデータを受信したか否かの判定に誤りが生じる可能性がある。また、移動局装置がＡＩＣＨデータを受信したか否かを判定する際には、ＣＰＩＣＨとの電力比が用いられる。しかし、ＣＰＩＣＨもＩＰＤＬ区間では瞬断されるため、ＡＩＣＨデータの受信判定を正しく行うことができない。
【００１８】
本発明は、かかる点に鑑みてなされたものであり、ＩＰＤＬを採用する無線通信システムにおいて、通信相手局によるすべての送信が瞬断される場合でも、受信特性の劣化を防止し、各種制御の誤動作を防止することができる無線受信装置および無線受信方法を提供することを目的とする。
【００１９】
【課題を解決するための手段】
本発明の無線受信装置は、通信相手局がすべての送信を瞬断するＩＰＤＬタイミングを検出する検出手段と、前記ＩＰＤＬタイミングにおける通信相手局からのパスに対応する信号を排除して受信動作を制御する受信動作制御手段と、を有する構成を採る。
【００２０】
この構成によれば、通信相手局からの送信が瞬断される際には、その通信相手局からのパスに対応する信号を用いずに受信動作を制御するため、干渉成分や雑音成分のみが含まれるパスの信号を無視することができ、受信特性の劣化を防止し、各種制御の誤動作を防止することができる。
【００２１】
本発明の無線受信装置は、前記受信動作制御手段は、前記ＩＰＤＬタイミングにおける通信相手局からのパスに対応する信号の逆拡散出力として０を出力する逆拡散部と、０を含む逆拡散出力から同期検波を行う同期検波部と、同期検波結果をＲＡＫＥ合成するＲＡＫＥ合成部と、を有する構成を採る。
【００２２】
この構成によれば、ＩＰＤＬタイミングにおける通信相手局からのパスに対応する信号の逆拡散出力を０として同期検波およびＲＡＫＥ合成を行うため、干渉成分や雑音成分のみが含まれるパスの信号の影響を除去することができ、例えばＩＰＤＬ中である自セルの基地局装置から他セルの基地局装置へハンドオーバする場合に、他セルの基地局装置からのパスの信号のみをＲＡＫＥ合成するのと等価な処理を行うことができる。
【００２３】
本発明の無線受信装置は、前記受信動作制御手段は、受信信号を復調する復調部と、復調結果を用いて無線制御を行う無線制御部と、復調結果に基づいて通信相手局における送信制御情報を生成する送信制御情報生成部と、を有し、前記無線制御部は、ＩＰＤＬタイミングにおいては、ＩＰＤＬタイミングより以前の復調結果を用いて無線制御を行い、前記送信制御情報生成部は、ＩＰＤＬタイミングにおいては、ＩＰＤＬタイミングより以前の復調結果に基づいて送信制御情報を生成する構成を採る。
【００２４】
この構成によれば、ＩＰＤＬタイミングにおける復調結果を用いずに、ＩＰＤＬタイミングより以前の復調結果を用いて無線制御および送信制御情報の生成を行うため、復調が正しく行われないＩＰＤＬ区間においても、復調結果を用いる動作を正常に行うことができる。
【００２５】
本発明の無線受信装置は、通信相手局がすべての送信を瞬断するＩＰＤＬタイミングを検出する検出手段と、前記ＩＰＤＬタイミングにおいて通信相手局の送信タイミングが発生しないように制御する送信タイミング制御手段と、を有する構成を採る。
【００２６】
この構成によれば、通信相手局からの送信が瞬断される際には、その通信相手局において送信タイミングが発生しないように制御するため、ＩＰＤＬ中によって送信が瞬断される回線数を最小限に抑えることができるとともに、無駄な再送要求などを削減することができる。
【００２７】
本発明の無線受信装置は、前記送信タイミング制御手段は、通信相手局からの受信確認を要求するプリアンブルをデータの送信に先立って送信するプリアンブル送信部と、前記プリアンブルに対してデータの送信を許可する旨の受信確認が通信相手局から受信された場合にデータを送信するデータ送信部と、を有し、前記プリアンブル送信部は、前記ＩＰＤＬタイミングにおいてプリアンブルの送信を停止する構成を採る。
【００２８】
この構成によれば、ＩＰＤＬタイミングにおいて、通信相手局からの受信確認を要求するプリアンブルの送信を停止するため、通信相手局では、ＩＰＤＬ中に受信確認の送信タイミングが発生することがなく、無線受信装置は、受信確認が受信されないために無駄にプリアンブルを再送することがなくなり、スループットの低下を防止することができる。
【００２９】
本発明の無線受信装置は、前記検出手段は、常に一定のタイミングを発生させて時間を計時するタイミング発生部と、あらかじめ決定されたＩＰＤＬタイミングと前記タイミング発生部によって計時された時間を比較することにより、ＩＰＤＬタイミングが接近したことを検出するＩＰＤＬ区間判定部と、を有する構成を採る。
【００３０】
この構成によれば、計時された時間とあらかじめ決定されたＩＰＤＬタイミングとを比較してＩＰＤＬタイミングの接近を検出するため、確実にＩＰＤＬタイミングを検出することができるともに、ＩＰＤＬタイミングが変更となった場合でも、最小限の回路変更でＩＰＤＬタイミングを検出することができる。
【００３１】
本発明の無線受信方法は、通信相手局がすべての送信を瞬断するＩＰＤＬタイミングを検出するステップと、前記ＩＰＤＬタイミングにおける通信相手局からのパスに対応する信号を排除して受信動作を制御するステップと、を有するようにした。
【００３２】
この方法によれば、通信相手局からの送信が瞬断される際には、その通信相手局からのパスに対応する信号を用いずに受信動作を制御するため、干渉成分や雑音成分のみが含まれるパスの信号を無視することができ、受信特性の劣化を防止し、各種制御の誤動作を防止することができる。
【００３３】
本発明の無線受信方法は、通信相手局がすべての送信を瞬断するＩＰＤＬタイミングを検出するステップと、前記ＩＰＤＬタイミングにおいて通信相手局の送信タイミングが発生しないように制御するステップと、を有するようにした。
【００３４】
この方法によれば、通信相手局からの送信が瞬断される際には、その通信相手局において送信タイミングが発生しないように制御するため、ＩＰＤＬ中によって送信が瞬断される回線数を最小限に抑えることができるとともに、無駄な再送要求などを削減することができる。
【００３５】
【発明の実施の形態】
本発明の骨子は、ＩＰＤＬのタイミングを検出し、検出されたタイミングに対応する信号を受信しないか、または受信しても各種制御の際には考慮しないことである。
【００３６】
以下、本発明の実施の形態について、図面を参照して詳細に説明する。
【００３７】
（実施の形態１）
図１は、本発明の実施の形態１に係る移動局装置の要部構成を示すブロック図である。図１に示す移動局装置は、ＲＦ（Ｒａｄｉｏ  Ｆｒｅｑｕｅｎｃｙ）受信部１０２、Ａ／Ｄ変換部１０４、復調部１０６、タイミング発生部１０８、ＩＰＤＬ区間判定部１１０、誤り制御部１１２、データ受信判定部１１４、ＲＦ制御部１１６、送信制御情報生成部１１８、変調部１２０、Ｄ／Ａ変換部１２２、およびＲＦ送信部１２４を有している。
【００３８】
ＲＦ受信部１０２は、アンテナを介して信号を受信し、受信信号のダウンコンバートなどを行い、ベースバンド信号を出力する。また、ＲＦ受信部１０２は、ＲＦ制御部１１６の制御に従って、所定の無線受信処理を行う。具体的には、ＲＦ受信部１０２は、例えばＡＦＣ（Ａｕｔｏ  Ｇａｉｎ  Ｃｏｎｔｒｏｌ）やＡＧＣ（Ａｕｔｏ  Ｇａｉｎ  Ｃｏｎｔｒｏｌ）などの処理を行う。
【００３９】
Ａ／Ｄ変換部１０４は、ベースバンド信号をＡ／Ｄ変換して、ディジタル信号を出力する。
【００４０】
復調部１０６は、ディジタル信号を逆拡散処理および同期検波して復調する。ここで、復調部１０６は、ＩＰＤＬ区間判定部１１０からのＩＰＤＬタイミングの指示に従って、ＩＰＤＬ区間とＩＰＤＬ区間以外とでは、異なる復調処理を行う。復調部１０６の復調処理については、後に詳述する。
【００４１】
タイミング発生部１０８は、例えば水晶発振器とクロックカウンタなどから構成されており、時間または時刻を計時する。
【００４２】
ＩＰＤＬ区間判定部１１０は、あらかじめ基地局装置から通知されているＩＰＤＬのタイミングを保持しており、タイミング発生部１０８によって計時されている時間または時刻とＩＰＤＬタイミングを比較し、ＩＰＤＬタイミングが近づくと、復調部１０６へＩＰＤＬタイミングを指示する。
【００４３】
誤り制御部１１２は、復調後の信号を誤り訂正復号し、受信データを出力する。
【００４４】
データ受信判定部１１４は、復調後の信号を用いて、データが受信されたか否かを判定し、判定結果を出力する。データ受信判定部１１４は、例えばＡＩＣＨを用いて伝送されるＡｃｋ／Ｎａｃｋが受信されたか否かを判定する。
【００４５】
ＲＦ制御部１１６は、復調部１０６によって同期検波が行われて得られる同期検波信号を用いて、ＲＦ受信部１０２およびＲＦ送信部１２４の制御を行う。具体的には、例えばＲＦ受信部１０２を制御して、同期検波信号を用いて検出される周波数オフセットを打ち消してＡＦＣを行ったり、ＲＦ送信部１２４を制御して、同期検波信号に含まれる送信電力制御コマンドに従った送信電力制御を行ったりする。
【００４６】
送信制御情報生成部１１８は、同期検波信号を用いて、基地局装置における送信を制御するための送信制御情報を生成する。具体的には、送信制御情報生成部１１８は、基地局装置用の送信電力制御コマンドや送信ダイバーシチ制御情報を生成する。
【００４７】
変調部１２０は、送信データおよび送信制御情報を多重して変調し、変調ディジタル信号を出力する。
【００４８】
Ｄ／Ａ変換部１２２は、変調ディジタル信号をＤ／Ａ変換して、アナログ信号を出力する。
【００４９】
ＲＦ送信部１２４は、ＲＦ制御部１１６の制御に従って、所定の無線送信処理を行う。具体的には、ＲＦ送信部１２４は、例えば送信電力制御などの処理を行う。また、ＲＦ送信部１２４は、無線送信処理後の信号のアップコンバートなどを行い、アンテナを介して送信する。
【００５０】
次に、復調部１０６の内部構成について、図２を参照しながら説明する。
【００５１】
復調部１０６は、逆拡散部１０６２−１〜１０６２−ｎ（ｎは１以上の整数）、同期検波部１０６４−１〜１０６４−ｎ、およびＲＡＫＥ合成部１０６６を有している。逆拡散部１０６２−１〜１０６２−ｎおよび同期検波部１０６４−１〜１０６４−ｎは、受信信号に含まれるｎ個のパスの信号に対応して設けられている。以下の説明においては、移動局装置が例えばハンドオーバ中であり、ｎ個のパスの中には、ＩＰＤＬを行う基地局装置（ここでは、自セルの基地局装置とする）からのパス、および自セル以外の他セルの基地局装置からのパスの双方が含まれるものとする。
【００５２】
逆拡散部１０６２−１〜１０６２−ｎは、復調部１０６への入力信号をそれぞれのパスの信号ごとに逆拡散する。また、逆拡散部１０６２−１〜１０６２−ｎは、ＩＰＤＬ区間判定部１１０からＩＰＤＬタイミングの指示を受け、ｎ個のパスのうちＩＰＤＬを実施する自セルの基地局装置からのパスについて、ＩＰＤＬ区間における逆拡散出力を０にする。
【００５３】
これにより、従来は、ＩＰＤＬ区間では他セルの基地局装置からの干渉信号や熱雑音のみが重畳されていたパス（すなわち、ＩＰＤＬ区間の自セルの基地局装置からのパス）の信号から逆拡散出力として雑音成分が出力されていたのに対し、本実施の形態では、逆拡散出力として０が出力され、合成などに不要となる信号成分が出力されることがない。
【００５４】
同期検波部１０６４−１〜１０６４−ｎは、パスごとの逆拡散出力を用いて同期検波を行う。同期検波部１０６４−１〜１０６４−ｎは、同期検波して得られるチャネル推定結果などを含む同期検波信号をＲＦ制御部１１６および送信制御情報１１８へ出力する。また、同期検波部１０６４−１〜１０６４−ｎは、対応する逆拡散部１０６２−１〜１０６２−ｎから逆拡散出力として０が出力された場合は、同期検波信号としても０を出力する。
【００５５】
したがって、ＲＦ制御部１１６および送信制御情報生成部１１８による同期検波信号を用いた制御や制御情報の生成においては、ＩＰＤＬ区間の自セルの基地局装置からのパスは考慮されないことになり、誤動作を防止することができる。
【００５６】
ＲＡＫＥ合成部１０６６は、同期検波結果をＲＡＫＥ合成して、復調信号を出力する。ここでも、ＩＰＤＬ区間の自セルの基地局装置からのパスに対応する同期検波結果は０となり、自セルの基地局装置のＩＰＤＬ区間においては、他セルの基地局装置からのパスに対応する同期検波結果のみをＲＡＫＥ合成することと等価になる。
【００５７】
次いで、上記のように構成された移動局装置の動作について説明する。
【００５８】
まず、ＩＰＤＬ区間ではない通常の状態においては、ＲＦ受信部１０２によってアンテナを介して信号が受信される。この受信信号には、自セルおよび他セルの基地局装置からのパスの信号が含まれている。
【００５９】
受信信号は、ＲＦ受信部１０２によって、ダウンコンバートされるとともに、ＡＦＣおよびＡＧＣなどの無線受信処理が行われる。そして、無線受信処理して得られたベースバンド信号は、Ａ／Ｄ変換部１０４によってＡ／Ｄ変換され、復調部１０６によって逆拡散処理および同期検波処理され、誤り制御部１１２によって誤り訂正復号され、受信データが得られる。また、受信信号に例えばＡＩＣＨを用いて伝送されるＡｃｋ／Ｎａｃｋなどが含まれる場合は、データ受信判定部１１４によって、ＡＩＣＨのデータが受信されたか否かが判定される。
【００６０】
さらに、復調部１０６による同期検波処理によって得られる同期検波信号が用いられ、ＲＦ制御部１１６および送信制御情報生成部１１８によって、それぞれＡＦＣなどのＲＦ制御が行われたり、送信電力制御コマンドなどの送信制御情報が生成されたりする。
【００６１】
一方、このような通常状態においても、タイミング発生部１０８は、計時動作を行っており、ＩＰＤＬ区間判定部１１０によって、自セルの基地局装置のＩＰＤＬタイミングとタイミング発生部１０８の時間とが比較されている。
【００６２】
そして、ＩＰＤＬ区間判定部１１０によって、自セルの基地局装置のＩＰＤＬタイミングが到来したと判定されると、その旨が復調部１０６内の逆拡散部１０６２−１〜１０６２−ｎへ通知される。なお、このとき、アンテナを介して受信されてから受信信号が復調部１０６へ到達するまでに処理遅延が発生する場合、ＩＰＤＬ区間判定部１１０は、処理遅延を考慮に入れたＩＰＤＬタイミングを指示するようにする。すなわち、例えば、受信信号がアンテナから復調部１０６まで到達するのに３スロット分の時間が必要な場合は、実際のＩＰＤＬタイミングから３スロット分の時間だけ遅れたタイミングが逆拡散部１０６２−１〜１０６２−ｎへ通知される。
【００６３】
ＩＰＤＬタイミングが逆拡散部１０６２−１〜１０６２−ｎへ通知されると、逆拡散部１０６２−１〜１０６２−ｎのうち、自セルの基地局装置からのパスに対応する逆拡散部は、ＩＰＤＬ区間に受信された入力信号の逆拡散出力を０とする。そして、逆拡散出力は、それぞれ対応する同期検波部１０６４−１〜１０６４−ｎへ入力され、チャネル推定および同期検波が行われる。チャネル推定および同期検波の結果である同期検波信号は、ＲＦ制御部１１６および送信制御情報生成部１１８へ出力されるとともに、ＲＡＫＥ合成部１０６６によってＲＡＫＥ合成される。
【００６４】
ここで、逆拡散出力として０を出力する逆拡散部に対応する同期検波部は、同期検波信号としても０を出力することになる。したがって、ＲＡＫＥ合成部１０６６によるＲＡＫＥ合成の際に、ＩＰＤＬ区間の自セルの基地局装置のパスに対応する信号（すなわち、他セルの基地局装置の干渉成分および熱雑音成分）が含まれてしまうことがなく、ＲＡＫＥ合成の精度低下を防止することができる。
【００６５】
また、誤り制御部１１２の誤り訂正能力は、ＲＡＫＥ合成後の信号の各ビットの尤度、すなわち信頼度が正確に表現されている場合に高くなる。本実施の形態においては、ＩＰＤＬ区間の自セルの基地局装置に対応する逆拡散出力が０となっているため、この逆拡散出力に対応するビットの信頼度は最低の０となり、ＩＰＤＬ区間の自セルの信頼度が低いことが最も正確に表現され、誤り制御部１１２による誤り訂正能力が最大となる。
【００６６】
さらに、データ受信判定部１１４は、例えばＡＩＣＨデータ（Ａｃｋ／Ｎａｃｋ）が受信されたか否かを判定する場合、同期検波信号とＣＰＩＣＨの信号との電力比較を行うが、ＩＰＤＬ区間の自セルの基地局装置に対応する同期検波信号の電力は０であるため、未送信と判定される。したがって、ＲＡＣＨプリアンブルの再送が行われるが、ＩＰＤＬ区間は非常に短時間（例えば、Ｗ−ＣＤＭＡの場合は１スロット以内）であるため、再送は１回のみで済み、無線通信システムのスループットへの影響を最小限に抑えることができる。
【００６７】
また、ＲＦ制御部１１６へ入力された同期検波信号は、ＡＦＣや送信電力制御などに用いられるが、ＩＰＤＬ区間の自セルの基地局装置に対応する同期検波信号は０であるため、信頼度が低いと判断され、ＩＰＤＬ区間においてはＡＦＣや送信電力制御が行われない。結果として、誤動作が発生することがない。同様に、送信制御情報生成部１１８においても、ＩＰＤＬ区間の同期検波信号が入力された場合（すなわち、同期検波信号として０が入力された場合）、基地局装置の送信を制御する制御情報を生成せずに、前回生成された制御情報をそのまま送信させるようにすることで、基地局装置の送信を安定して制御することができる。
【００６８】
なお、上述したＲＦ制御部１１６および送信制御情報生成部１１８の動作は、受信信号に他セルの基地局装置からのパスの信号が含まれない場合も同様であり、自セルの基地局装置がＩＰＤＬ区間である場合は、ＲＦ制御部１１６および送信制御情報生成部１１８は動作しないことになる。
【００６９】
そして、送信制御情報生成部１１８によって生成された制御情報または前回生成された制御情報は、変調部１２０によって、送信データと多重された上で変調され、Ｄ／Ａ変換部１２２によってＤ／Ａ変換される。
【００７０】
得られたアナログ信号は、ＲＦ送信部１２４によって、送信電力制御などの所定の無線送信処理が行われ、アップコンバートされてアンテナを介して送信される。
【００７１】
このように、本実施の形態によれば、自セルの基地局装置のＩＰＤＬ区間を検出し、このＩＰＤＬ区間における自セルの基地局装置からのパスに対応する信号については逆拡散出力を０とするため、同期検波結果やＲＡＫＥ合成結果に他セルの基地局装置からの干渉成分や熱雑音成分が影響を与えることがなく、受信特性の劣化を防止し、各種制御の誤動作を防止することができる。
【００７２】
（実施の形態２）
本発明の実施の形態２の特徴は、ＩＰＤＬ区間の信号が受信された場合は、その信号を用いずに、前回と同じ制御を行うことによって、各種制御の誤動作を防止する点である。
【００７３】
図３は、実施の形態２に係る移動局装置の要部構成を示すブロック図である。同図において、図１と同じ部分には同じ符号を付し、その説明を省略する。図３に示す移動局装置は、ＲＦ受信部１０２、Ａ／Ｄ変換部１０４、復調部１０６、タイミング発生部１０８、ＩＰＤＬ区間判定部１１０、受信タイミング制御部２０２、誤り制御部１１２、データ受信判定部１１４、ＲＦ制御部２０４、送信制御情報生成部２０６、変調部１２０、Ｄ／Ａ変換部１２２、およびＲＦ送信部１２４を有している。
【００７４】
受信タイミング制御部２０２は、例えばマッチドフィルタなどから構成され、所望の基地局装置からの受信タイミングを検出し、検出された受信タイミングを復調部１０６へ通知する。受信タイミング制御部２０２が受信タイミングを復調部１０６へ通知することにより、復調部１０６は安定した復調処理を行うことができる。また、受信タイミング制御部２０２は、自セルの基地局装置のＩＰＤＬ区間においては、自セルの基地局装置からの受信タイミングの検出を行わず、前回検出した受信タイミングをそのまま復調部１０６へ通知する。
【００７５】
ＲＦ制御部２０４は、復調部１０６によって同期検波が行われて得られる同期検波信号を用いて、ＲＦ受信部１０２およびＲＦ送信部１２４の制御を行う。また、ＲＦ制御部２０４は、自セルの基地局装置のＩＰＤＬ区間においては、同期検波信号を用いたＲＦ制御を行わず、前回得られた同期検波信号に基づいたＲＦ制御を継続して行う。
【００７６】
送信制御情報生成部２０６は、同期検波信号を用いて、基地局装置における送信を制御するための送信制御情報を生成する。また、送信制御情報生成部２０６は、自セルの基地局装置のＩＰＤＬ区間においては、同期検波信号を用いた送信制御情報の生成を行わず、前回得られた同期検波信号に基づく送信制御情報をそのまま変調部１２０へ出力する。
【００７７】
次いで、上記のように構成された移動局装置の動作について説明する。
【００７８】
まず、ＩＰＤＬ区間ではない通常の状態における動作は、実施の形態１と同様であるため説明を省略する。
【００７９】
ＩＰＤＬ区間判定部１１０によって、自セルの基地局装置のＩＰＤＬタイミングが到来したと判定されると、その旨が受信タイミング制御部２０２、ＲＦ制御部２０４、および送信制御情報生成部２０６へ通知される。なお、このとき、実施の形態１と同様に、処理遅延が発生する場合は、処理遅延を考慮に入れたＩＰＤＬタイミングが通知される。
【００８０】
ＩＰＤＬタイミングが通知されると、このＩＰＤＬタイミングにおいて、受信タイミング制御部２０２、ＲＦ制御部２０４、および送信制御情報生成部２０６は、それぞれ受信タイミングの検出、ＲＦ制御、および送信制御情報生成の動作を停止する。そして、受信タイミング制御部２０２、ＲＦ制御部２０４、および送信制御情報生成部２０６は、それぞれＩＰＤＬ区間前の制御値をそのまま用いて各種制御を行う。
【００８１】
これにより、自セルの基地局装置から信号が送信されていないにも拘わらず、自セルの基地局装置からの信号を根拠とした制御を行うことがなくなり、誤動作を防備することができる。
【００８２】
そして、ＩＰＤＬ区間が終了すると、再び、受信タイミング制御部２０２、ＲＦ制御部２０４、および送信制御情報生成部２０６は、通常状態の動作を開始する。
【００８３】
このように、本実施の形態によれば、自セルの基地局装置のＩＰＤＬ区間を検出し、このＩＰＤＬ区間における信号を根拠とした制御を停止し、ＩＰＤＬ区間前の前回の信号を根拠とした制御を行うため、ＩＰＤＬ区間における各種制御の誤動作を防止することができる。
【００８４】
なお、本実施の形態における受信タイミング制御部２０２、ＲＦ制御部２０４、および送信制御情報生成部２０６は、それぞれ独立に動作しており、それぞれの処理部においてＩＰＤＬ区間の信号を根拠とせずに制御することにより、各処理部に対応する動作の誤動作を個々に防止することができる。
【００８５】
（実施の形態３）
本発明の実施の形態３の特徴は、ランダムアクセス時にＡＩＣＨを用いて送信されるＡｃｋ／Ｎａｃｋの送信タイミングが、ＩＰＤＬ区間に重なることがないように、ＲＡＣＨプリアンブルの送信を制御する点である。
【００８６】
図４は、実施の形態３に係る移動局装置の要部構成を示すブロック図である。同図において、図１と同じ部分には同じ符号を付し、その説明を省略する。図４に示す移動局装置は、ＲＦ受信部１０２、Ａ／Ｄ変換部１０４、復調部１０６、タイミング発生部１０８、ＩＰＤＬ区間判定部１１０、誤り制御部１１２、ＡＩＣＨ受信判定部１１４ａ、ＲＡＣＨプリアンブル送信部３０２、ＲＡＣＨ送信部３０４、スイッチ３０６、変調部１２０、Ｄ／Ａ変換部１２２、およびＲＦ送信部１２４を有している。
【００８７】
ＡＩＣＨ受信判定部１１４ａは、実施の形態１のデータ受信判定部１１４と同様に、復調後の信号を用いて、特にＡＩＣＨデータ（Ａｃｋ／Ｎａｃｋ）が受信されたか否かを判定する。ＡＩＣＨ受信判定部１１４ａは、ＡＩＣＨデータの受信判定結果をスイッチ３０６へ出力する。
【００８８】
ＲＡＣＨプリアンブル送信部３０２は、基地局装置からＡｃｋ／Ｎａｃｋを受信するまで、送信電力を所定量ずつ増加させながらＲＡＣＨプリアンブルを送信する。また、ＲＡＣＨプリアンブル送信部３０２は、自セルの基地局装置のＩＰＤＬ区間中にＡｃｋ／Ｎａｃｋの送信タイミングが重ならないように、ＩＰＤＬ区間中はＲＡＣＨプリアンブルの送信を停止する。
【００８９】
ＲＡＣＨ送信部３０４は、ＲＡＣＨプリアンブルに対するＡｃｋが返信された場合に、ＲＡＣＨを用いて送信データを送信する。
【００９０】
スイッチ３０６は、ＡＩＣＨ受信判定部１１４ａによって、Ａｃｋが受信されたと判定された場合に、ＲＡＣＨ送信部３０４側へ切り替わる。また、スイッチ３０６は、Ａｃｋ／Ｎａｃｋのいずれも受信されない場合やＮａｃｋが受信されたと判定された場合は、ＲＡＣＨプリアンブル送信部３０２側へ接続されている。
【００９１】
次いで、上記のように構成された移動局装置の動作について説明する。
【００９２】
まず、ＩＰＤＬ区間ではない通常の状態においては、ＲＡＣＨプリアンブル送信部３０２によってＲＡＣＨプリアンブルが従来と同様に送信される。すなわち、ＡＩＣＨ受信判定部１１４ａによるＡＩＣＨの受信判定でＡｃｋが受信されたと判定されるまでは、送信電力が所定量ずつ増加されながら、ＲＡＣＨプリアンブルが送信される。
【００９３】
そして、ＡＩＣＨ受信判定部１１４ａによって、ＲＡＣＨプリアンブルに対するＡｃｋが受信されたと判定されると、その旨がスイッチ３０６へ通知され、スイッチ３０６がＲＡＣＨ送信部３０４側へと切り替えられる。
【００９４】
これにより、ＲＡＣＨ送信部３０４によって、送信データがＲＡＣＨを用いて送信される。送信データは、変調部１２０によって変調され、Ｄ／Ａ変換部１２２によってＤ／Ａ変換され、ＲＦ送信部１２４によって所定の無線送信処理が行われた上で、アンテナを介して送信される。
【００９５】
一方、このような通常状態においても、タイミング発生部１０８は、計時動作を行っており、ＩＰＤＬ区間判定部１１０によって、自セルの基地局装置のＩＰＤＬタイミングとタイミング発生部１０８の時間とが比較されている。
【００９６】
そして、ＩＰＤＬ区間判定部１１０によって、自セルの基地局装置のＩＰＤＬタイミングが到来したと判定されると、その旨がＲＡＣＨプリアンブル送信部３０２へ通知される。
【００９７】
ＩＰＤＬタイミングがＲＡＣＨプリアンブル送信部３０２へ通知されると、ＲＡＣＨプリアンブル送信部３０２は、ＲＡＣＨプリアンブルの送信を停止する。これにより、自セルの基地局装置がＩＰＤＬ区間である場合は、自セルの基地局装置においては、ＲＡＣＨプリアンブルが受信されることがなく、ＩＰＤＬ区間中にＡＩＣＨを用いたＡｃｋ／Ｎａｃｋの送信タイミングが重なることがない。
【００９８】
なお、ＩＰＤＬ区間判定部１１０からＲＡＣＨプリアンブル送信部３０２へのＩＰＤＬタイミングの通知の際には、ＲＡＣＨプリアンブルが移動局装置から送信されて基地局装置に受信され、Ａｃｋ／Ｎａｃｋのいずれを送信するか判定されるまでにかかる時間を考慮に入れたタイミングを指示するようにする。すなわち、例えば、ＲＡＣＨプリアンブルの送信からＡｃｋ／Ｎａｃｋの送信判定までに５スロット分の時間が必要な場合は、実際のＩＰＤＬタイミングから５スロット分の時間だけ早いタイミングがＲＡＣＨプリアンブル送信部３０２へ通知される。
【００９９】
そして、ＩＰＤＬ区間が終了すると、ＩＰＤＬ区間判定部１１０によって、その旨がＲＡＣＨプリアンブル送信部３０２へ通知され、ＲＡＣＨプリアンブルの送信が再開される。
【０１００】
このように、本実施の形態によれば、自セルの基地局装置のＩＰＤＬ区間を検出し、このＩＰＤＬ区間において基地局装置からＡｃｋ／Ｎａｃｋの送信が必要となることがないように、ＲＡＣＨプリアンブルの送信を停止するため、基地局装置へ到達するのに必要な送信電力でＲＡＣＨプリアンブルを送信したにも拘わらずＡｃｋ／Ｎａｃｋのいずれも受信されないことがなく、誤動作を防止することができるとともに、ＩＰＤＬ区間中にＲＡＣＨプリアンブルを無駄に送信し続けることを防止することができる。
【０１０１】
【発明の効果】
以上説明したように、本発明によれば、ＩＰＤＬを採用する無線通信システムにおいて、通信相手局によるすべての送信が瞬断される場合でも、受信特性の劣化を防止し、各種制御の誤動作を防止することができる。
【図面の簡単な説明】
【図１】本発明の実施の形態１にかかる移動局装置の要部構成を示すブロック図
【図２】実施の形態１にかかる復調部の内部構成を示すブロック図
【図３】本発明の実施の形態２にかかる移動局装置の要部構成を示すブロック図
【図４】本発明の実施の形態３にかかる移動局装置の要部構成を示すブロック図
【図５】ＩＰＤＬの動作の一例を示すシーケンス図
【図６】ランダムアクセス時の動作の一例を示すシーケンス図
【符号の説明】
１０６  復調部
１０８  タイミング発生部
１１０  ＩＰＤＬ区間判定部
１１２  誤り制御部
１１４  データ受信判定部
１１４ａ  ＡＩＣＨ受信判定部
１１６、２０４  ＲＦ制御部
１１８、２０６  送信制御情報生成部
２０２  受信タイミング制御部
３０２  ＲＡＣＨプリアンブル送信部
３０４  ＲＡＣＨ送信部
３０６  スイッチ
【図１】
2005012276.tif 000003
【図２】
2005012276.tif 000004
【図３】
2005012276.tif 000005
【図４】
2005012276.tif 000006
【図５】
2005012276.tif 000007
【図６】
2005012276.tif 000008